(57)【特許請求の範囲】
【請求項１】
第１機械部分と、
第２機械部分とを備え、
前記第１機械部分は、少なくともスタッド部分を有し、
前記第１機械部分は、第１電気コネクタを有し、
前記第２機械部分は、ばね要素を含むソケット部分を少なくとも有し、前記第２機械部分は、第２電気コネクタを有し、
前記第１電気コネクタの少なくとも一部は、前記スタッド部分の内部に設けられ、前記スタッド部分の突出方向に延伸し、前記スタッド部分から絶縁され、
前記第２電気コネクタの少なくとも一部は、前記ソケット部分の内部に設けられ、前記ソケット部分の深さ方向に延伸し、前記ソケット部分から絶縁され、
前記第１電気コネクタの少なくとも一部の周囲には、前記第１電気コネクタに接して絶縁体が設けられ、
前記第２電気コネクタの少なくとも一部の周囲には、前記第２電気コネクタに接して絶縁体が設けられ、
前記第１電気コネクタは、雄型電気コネクタまたは雌型電気コネクタの一方であり、
前記第２電気コネクタは、前記雄型電気コネクタまたは前記雌型電気コネクタの他方であり、
前記第１機械部分は、第１副部分と第２副部分とを有し、
前記第２機械部分は、第１副部分と第２副部分とを有し、
前記第１機械部分の前記第１副部分は、前記第１電気コネクタの周囲に、前記第１電気コネクタに接して設けられた前記絶縁体に接して設けられ、
前記第１機械部分の前記第２副部分は、前記第１電気コネクタの周囲に、前記第１機械部分の前記第１副部分に接して設けられ、
前記第２機械部分の前記第１副部分は、前記第２電気コネクタの周囲に、前記第２電気コネクタに接して設けられた前記絶縁体に接して設けられ、
前記第２機械部分の前記第２副部分は、前記第２電気コネクタの周囲に、前記第２機械部分の前記第１副部分に接して設けられ、
前記第１機械部分の前記スタッド部分および前記第２機械部分の前記ソケット部分は、分離している場合、第１の力が互いに向かうように加えられると連結し、連結されている場合、第２の力が互いから離れるように加えられると分離し、
前記第１電気コネクタおよび前記第２電気コネクタは、前記第１機械部分および前記第２機械部分が連結されたときに、電気的に接続され、前記第１電気コネクタおよび前記第２電気コネクタは、前記第１機械部分および前記第２機械部分が分離されたときに、切断される、
ファスナ。
【請求項２】
前記第１電気コネクタは雄型電気コネクタであり、前記第２電気コネクタは雌型電気コネクタであり、
前記第１電気コネクタに接して設けられた前記絶縁体には、前記雌型電気コネクタを収容する凹部が設けられ、
前記雌型電気コネクタの少なくとも一部は、前記第２電気コネクタに接して設けられた前記絶縁体から、前記深さ方向に突出し、
前記第１機械部分と前記第２機械部分とが連結された場合、前記雌型電気コネクタの少なくとも一部は、前記凹部に収容される、
請求項１に記載のファスナ。
【請求項３】
前記ファスナは、スナップボタンファスナである、
請求項１または２に記載のファスナ。
【請求項４】
前記第１電気コネクタは第１導電体に結合し、前記第２電気コネクタは第２導電体に結合する、請求項１から３のいずれか一項に記載のファスナ。
【請求項５】
前記第１電気コネクタは、少なくとも部分的に前記第１機械部分の前記スタッド部分の内部に配置され、
前記第２電気コネクタは、少なくとも部分的に前記第２機械部分の前記ソケット部分の内部に配置されている、
請求項１から４のいずれか一項に記載のファスナ。
【請求項６】
前記第１機械部分は、前記第１電気コネクタとして機能し、前記第２機械部分は、前記第２電気コネクタとして機能する、
請求項１から５のいずれか一項に記載のファスナ。
【請求項７】
前記第１電気コネクタおよび前記第２電気コネクタは、電気的に接続されたとき、電力、電気信号、またはこれら両方を伝送する、
請求項１から６のいずれか一項に記載のファスナ。
【請求項８】
第１材料と、
前記第１材料に埋め込まれた第１スナップボタンファスナ部分とを備え、
前記第１スナップボタンファスナ部分は、
第２機械部分に取り外し可能に連結する第１機械部分と、
前記第１機械部分が前記第２機械部分に連結したとき、第２電気コネクタとの電気的接続を提供する第１電気コネクタとを有し、
前記第１電気コネクタの少なくとも一部は、前記第１機械部分のスタッド部分の内部に設けられ、前記スタッド部分の突出方向に延伸し、前記スタッド部分から絶縁され、
前記第２電気コネクタの少なくとも一部は、前記第２機械部分のソケット部分の内部に設けられ、前記ソケット部分の深さ方向に延伸し、前記ソケット部分から絶縁され、
前記第１電気コネクタの少なくとも一部の周囲には、前記第１電気コネクタに接して絶縁体が設けられ、
前記第２電気コネクタの少なくとも一部の周囲には、前記第２電気コネクタに接して絶縁体が設けられ、
前記第１機械部分は、絶縁副部分と導電副部分とを有し、
前記第２機械部分は、絶縁副部分と導電副部分とを有し、
前記第１機械部分の前記導電副部分は、前記第１電気コネクタの周囲に、前記第１電気コネクタに接して設けられ、
前記第１機械部分の前記絶縁副部分は、前記第１電気コネクタの周囲に、前記第１機械部分の前記導電副部分に接して設けられ、
前記第２機械部分の前記導電副部分は、前記第２電気コネクタの周囲に、前記第２電気コネクタに接して設けられ、
前記第２機械部分の前記絶縁副部分は、前記第２電気コネクタの周囲に、前記第２機械部分の前記導電副部分に接して設けられている、
装置。
【請求項９】
前記第１電気コネクタは雄型電気コネクタであり、前記第２電気コネクタは雌型電気コネクタであり、
前記第１機械部分の前記導電副部分には、前記雌型電気コネクタを収容する凹部が設けられ、
前記雌型電気コネクタの少なくとも一部は、前記第２電気コネクタに接して設けられた前記導電副部分から、前記深さ方向に突出し、
前記第１機械部分と前記第２機械部分とが連結された場合、前記雌型電気コネクタの少なくとも一部は、前記凹部に収容される、
請求項８に記載の装置。
【請求項１０】
第１導電体と、
第１電子要素とをさらに備え、
前記第１導電体の第１端は、前記第１電気コネクタに電気的に結合され、
前記第１導電体の第２端は、前記第１電子要素に電気的に結合されている、
請求項８または９に記載の装置。
【請求項１１】
前記第１電気コネクタは、前記第２電気コネクタに電気的に接続されたとき、電力、電気信号、またはこれら両方を伝送する、
請求項８から１０のいずれか一項に記載の装置。
【請求項１２】
第１部分と、
第２部分とを備え、
前記第１部分は、
第１布地と、
前記第１布地に埋め込まれた１つまたは複数の第１スナップボタンファスナ部分と、
を有し、
前記第１スナップボタンファスナ部分は、
第１機械部分と、
第１電気コネクタと、
を含み、
前記第２部分は、
第２布地と、
前記第２布地に埋め込まれた１つまたは複数の第２スナップボタンファスナ部分と、
を有し、
前記第２スナップボタンファスナ部分は、
前記第１機械部分に取り外し可能に連結する第２機械部分と、
前記第１機械部分が前記第２機械部分に連結すると、前記第１電気コネクタとの電気的接続を提供する第２電気コネクタと、
を含み、
前記電気的接続は、前記第１機械部分が前記第２機械部分から分離すると、切断され、
前記第１電気コネクタの少なくとも一部は、前記第１機械部分の雄部分の内部に設けられ、前記雄部分の突出方向に延伸し、
前記第２電気コネクタの少なくとも一部は、前記第２機械部分の雌部分の内部に設けられ、前記雌部分の深さ方向に延伸し、
前記第１機械部分の前記雄部分には、前記第２電気コネクタを収容する凹部が設けられ、
前記第１機械部分と前記第２機械部分とが連結された場合、前記第２電気コネクタの少なくとも一部は、前記凹部に収容される、
ウェアラブル電子機器製品。
【請求項１３】
第１部分と、
第２部分とを備え、
前記第１部分は、
第１布地と、
前記第１布地に埋め込まれた１つまたは複数の第１スナップボタンファスナ部分と、
を有し、
前記第１スナップボタンファスナ部分は、
第１機械部分と、
第１電気コネクタと、
を含み、
前記第２部分は、
第２布地と、
前記第２布地に埋め込まれた１つまたは複数の第２スナップボタンファスナ部分と、
を有し、
前記第２スナップボタンファスナ部分は、
前記第１機械部分に取り外し可能に連結する第２機械部分と、
前記第１機械部分が前記第２機械部分に連結すると、前記第１電気コネクタとの電気的接続を提供する第２電気コネクタと、
を含み、
前記第１電気コネクタの少なくとも一部は、前記第１機械部分の雌部分の内部に設けられ、前記雌部分の深さ方向に延伸し、
前記第２電気コネクタの少なくとも一部は、前記第２機械部分の雄部分の内部に設けられ、前記雄部分の突出方向に延伸し、
前記第２機械部分の前記雄部分には、前記第１電気コネクタを収容する凹部が設けられ、
前記第１機械部分と前記第２機械部分とが連結された場合、前記第１電気コネクタの少なくとも一部は、前記凹部に収容され、
前記電気的接続は、前記第１機械部分が前記第２機械部分から分離すると、切断される、
ウェアラブル電子機器製品。
【請求項１４】
前記第１部分は、第３スナップボタンファスナ部分をさらに有し、
前記第３スナップボタンファスナ部分は、
第３機械部分と、
第３電気コネクタと、
を含み、
前記第２部分は、第４スナップボタンファスナ部分をさらに有し、
前記第４スナップボタンファスナ部分は、
前記第３機械部分に取り外し可能に連結する第４機械部分と、
前記第１機械部分が前記第２機械部分に連結すると前記第３電気コネクタとの電気的接続を提供する第４電気コネクタと、
を含み、
前記電気的接続は、前記第３機械部分が前記第４機械部分から分離すると、切断され、
前記第３電気コネクタの少なくとも一部は、前記第３機械部分の雌部分の内部に設けられ、前記第３機械部分の前記雌部分の深さ方向に延伸し、
前記第４電気コネクタの少なくとも一部は、前記第４機械部分の雄部分の内部に設けられ、前記第４機械部分の前記雄部分の突出方向に延伸し、
前記第４機械部分の前記雄部分には、前記第３電気コネクタを収容する凹部が設けられ、
前記第３機械部分と前記第４機械部分とが連結された場合、前記第３電気コネクタの少なくとも一部は、前記第４機械部分の前記雄部分に設けられた前記凹部に収容される、
請求項１２または１３に記載のウェアラブル電子機器製品。
【請求項１５】
前記第１スナップボタンファスナ部分および前記第２スナップボタンファスナ部分は、前記第３スナップボタンファスナ部分および前記第４スナップボタンファスナ部分とは異なるサイズである、
請求項１４に記載のウェアラブル電子機器製品。
【請求項１６】
前記第１部分は、
第１導電体と、
第１電子要素とをさらに有し、
前記第１導電体の第１端は、前記第１電気コネクタに電気的に結合され、
前記第１導電体の第２端は、前記第１電子要素に電気的に結合されている、
請求項１２から１５のいずれか一項に記載のウェアラブル電子機器製品。
【請求項１７】
前記第１部分は、第１の複数のスナップボタンファスナ部分を有し、前記第２部分は、第２の複数のスナップボタンファスナ部分を有し、前記第１部分の各スナップボタンファスナ部分は、前記第２部分の対応するスナップボタンファスナ部分に合致する、
請求項１２から１６のいずれか一項に記載のウェアラブル電子機器製品。
【請求項１８】
前記スナップボタンファスナ部分の合致する各対は、電力の送信、信号の送信、またはこれら両方のための電気的接続、もしくは電気的接続を伴わない機械的接続の機能性のうち一つを提供する、
請求項１７に記載のウェアラブル電子機器製品。
【請求項１９】
前記第１の複数のスナップボタンファスナ部分および前記第２の複数のスナップボタンファスナ部分は、異なる機能性のスナップボタン間の掛け違いを防ぐべく、ある特定の置換できない幾何学的な配置となっている、
請求項１８に記載のウェアラブル電子機器製品。
【発明の詳細な説明】
【技術分野】
【０００１】
本明細書に記載される実施形態は、概して、電気機器の分野に関し、より具体的には、電気的接続を提供するスナップボタンファスナに関する。
【背景技術】
【０００２】
製造業者は、電子装置がウェアラブル製品に内蔵され、またはウェアラブル製品（ウェアラブル製品には、衣料品が含まれてもよい）と連動している、ウェアラブル電子機器の企画と市場投入を増やしている。
【０００３】
場合により、電子装置は、ウェアラブル製品に埋め込まれているので、電源、処理機能、およびセンシング操作（ウェアラブル製品と一体化されている）を必要とすることがある。
【０００４】
ウェアラブル電子機器を使用し操作する際、電子装置が損傷を受けやすい場合がある。例えば、衣服を普通に手入れすると、埋め込まれている電子装置が損傷を受ける場合がある。具体的な例では、衣料品を洗浄または他の方法で洗濯すると、埋め込まれた電子装置が損傷または破壊される場合がある。
【０００５】
本明細書に記載される実施形態は、例として示すものであり、限定を意図するものではなく、添付の図面における図において、同様の参照符号は、類似の要素を指す。
【図面の簡単な説明】
【０００６】
【図１】図１は、スナップボタンファスナの説明図である。
【図２】図２は、スナップボタンファスナの構成要素の説明図である。
【図３】図３は、１つの実施形態に係る電気的接続を提供するスナップボタンの構成要素の説明図である。
【図４】図４は、１つの実施形態に係る電気的接続を提供するスナップボタンの構成要素の説明図である。
【図５Ａ】図５Ａは、１つの実施形態に係るウェアラブル電子機器内の電気コネクタを備えるスナップボタンの、ある使用例を示す。
【図５Ｂ】図５Ｂは、１つの実施形態に係るウェアラブル電子機器内の電気コネクタを備えるスナップボタンの、ある使用例を示す。
【図６】図６は、１つの実施形態に係る布地の内部に埋め込まれた電気的構成要素を備える装置の説明図である。
【図７】図７は、１つの実施形態に係る布地の内部に埋め込まれた電気的構成要素を備える物の説明図である。
【図８】図８は、１つの実施形態に係るスナップボタンと接続された電子装置のある動作を示すフローチャートである。
【図９】図９は、１つの実施形態に係る電気的接続を提供するスナップボタンファスナを利用する接続を含むシステムを示す。
【発明を実施するための形態】
【０００７】
本明細書に記載される実施形態は、概して、電気的接続を提供するスナップボタンファスナに関する。
【０００８】
以下は本明細書の目的である。
【０００９】
「スナップボタン」は、スタッド部分を有する第１機械部分と、ソケット部分を有する第２機械部分とを備える機械ファスナを指し、第１機械部分および第２機械部分は、第１および第２機械部分を押し合わせるある特定の力を加えると互いに接続する（「嵌まる」）よう構成され、第１および第２機械部分を互いに引き離すある特定の力を加えると分離するよう構成されている。第１機械部分および第２機械部分は、取り外し可能に連結する円板の形態であってもよいが、他の形状でもよい。スナップボタンはまた、スナップファスナ、スナップ、または他の用語で表してもよい。
【００１０】
「ウェアラブル電子機器」は、ユーザによる装着が可能な製品に少なくとも部分的に一体化された電子装置を意味する。ウェアラブル電子機器は、モバイル装置のような第２電子装置と連動する電子装置だけでなく、独立して動く電子装置を備えてもよい。
【００１１】
「モバイル装置」は、スマートフォン、スマートウォッチ、タブレットコンピュータ、携帯型コンピュータ、携帯型インターネット装置、または処理機能および通信機能を有する他の携帯型装置を意味する。
【００１２】
ウェアラブル電子機器は、衣料品のようなウェアラブル製品に埋め込まれた１つまたは複数の電子的要素を備えてよい。一例において、ある電子装置は、ジャケットまたは他の類似する製品に埋め込まれていてもよい。
【００１３】
しかし、ウェアラブル製品を使用し手入れすると、埋め込まれた電子装置が損傷または破壊される場合がある。例えば、当該製品の洗浄または他の方法での洗濯を必要とする場合、電子装置が、洗浄または洗濯の際、損傷する場合がある。さらに、当該電子装置の１つまたは複数の部分を取り外し、再充電、交換、修理、または他の作業をする必要がある場合がある。しかし、電子装置の取り外しおよび交換は、ユーザにとって実用的ではなく、または不便な場合がある。
【００１４】
いくつかの実施形態において、電気的接続を提供するスナップボタンファスナが設けられている。いくつかの実施形態において、スナップボタンは、第１電気コネクタを有する第１機械部分と、第２電気コネクタを有する第２機械部分とを備える。いくつかの実施形態において、第１機械部分が第２機械部分と連結すると、第１電気コネクタは、第２電気コネクタと電気的に接続され、第１機械部分が第２機械部分から分離すると、第１電気コネクタは、第２電気コネクタから切断される。いくつかの実施形態において、電気コネクタは、少なくとも部分的に機械部分に含まれ、いくつかの実施形態において、電気コネクタおよび機械部分は、単一の部分である。
【００１５】
いくつかの実施形態において、ウェアラブル電子機器製品は、電気的接続を提供する１つまたは複数のスナップボタンファスナを備え、これにより、ウェアラブル電子機器のユーザは、ウェアラブル電子機器の１つまたは複数の要素を、容易かつ自然に接続および切断することができる。いくつかの実施形態において、当該１つまたは複数の要素を、第１ウェアラブル製品から取り外し、別のウェアラブル製品に接続してもよく、スナップボタンにより、ユーザは、簡単に衣服間で電子装置を移動させることができる。
【００１６】
図１は、スナップボタンファスナの説明図である。従来の衣服に利用できる多種多様なスナップボタンがある。典型例を図１に示す。スナップボタンファスナは、ウェアラブル要素の第１部分１０５（例えば、布地、皮革、または他の材料の第１部分）において、スナップボタンの第１機械部分１００（雄部分と表してもよい）と、ウェアラブル要素の第２部分１５５（例えば、布地または他の材料の第２部分）において、スナップボタンの第２機械部分１５０（雌部分と表してもよい）とを備える。
【００１７】
第１機械部分１００は、スタッド部分を備え、第２機械部分１５０は、ばね要素を有するソケット部分を備え、ばね要素は、Ｓ字バネ（ソケット内で並行ばね要素として働く）、輪ばね（ばね機能を果たす割りリング）、または、ばねの力を発生させる他の物理的機能である。十分な力を加えてスタッド部分をソケット部分に挿入すると、ばねの力により、スタッド部分が係合し、スナップボタンの当該部分同士が連結する。よって、第１機械部分と第２機械部分とが嵌まる。第１機械部分１００と第２機械部分とは、第２機械部分のばね要素の力に勝る十分な反対向きの力を加えることにより、分離可能である。ただし、これは、スナップボタンの特定の例であり、他のデザインのスナップボタンは、様々な構造と用途を備え得る。
【００１８】
いくつかの実施形態において、第１機械部分１００および第２機械部分１５０は、電気的接続をさらに提供する。第１機械部分１００を第２機械部分１５０に嵌めると、電気的接続され（閉接続され）、第１機械部分と第２機械部分とを分離すると、電気的接続が切断される（開接続される）。
【００１９】
図２は、スナップボタンファスナの構成要素の説明図である。従来の使用では、スナップボタンは、スナップボタンの２つの部品がはめ合わさっているとき、機械的または他の力を用いて、布地または他の材料の２カ所が合わさった状態で保持し、スナップボタンの２つの部品が分離しているとき、布地または他の材料の２カ所が分離するように、利用される場合がある。
【００２０】
図２の断面図に示されるように、スナップボタン２００は、第２機械部分（雌部分）２５０に嵌めるための第１機械部分（雄部分）２０２を備えてよい。第１機械部分２０２は、布地または他の材料２０５の第１部分に取り付けてよい。第１機械部分２０２および第２機械部分２５０は、通常、布地に対して垂直な軸に沿って円形であり、ゆえに円板形状を有しているが、これはすべての実施態様で要求されるものではない。
【００２１】
図示された例において、スナップボタン２００の第１機械部分２０２は、第１機械部分を形成するように一緒に取り付けられた複数の副部分を備えていてもよい。当該副部分としては、例えば、布地２０５の一方の側に接する面を備え、布地２０５の穴を貫通する第１副部分２１０と、布地を貫通する第１副部分２１０の一部分を囲み、第１機械部分２０２のスタッド形状を形成する第２副部分２１５とがある。スナップボタン２００の断面図からわかるように、第２副部分２１５は、布地からより離れたプラグ形状のほうが布地に近いプラグ形状よりも大きくなるような角度を有する部分を、少なくとも備えている。
【００２２】
図示された例において、スナップボタン２００の第２機械部分２５０は、第２機械部分を形成するように一緒に取り付けられた複数の副部分を備えてもよい。当該副部分としては、例えば、布地２５５の一方の側に接する面を備え、布地２５５の穴を貫通し、第２機械部分２５０のソケット形状を形成する第２副部分２６５の少なくとも一部分を留める、第１副部分２６０がある。第２副部分２６５の少なくとも一部分は、ばね要素を備え、このばね要素は、第１機械部分２０２のスタッド形状が第２機械部分のソケット部分に挿入されると移動し、第１および第２機械部分を分離するように軸に沿った十分な力が加わるまで、機械的な力を加えて第１および第２機械部分を合わさった状態に保持する。スナップボタン２００の断面図からわかるように、第２副部分２６５は、布地からより離れたソケット形状のほうが布地に近い差込口形状よりも小さく、第１機械部分２０２を嵌めた際に所定の位置で保持するような角度を有する部分を、少なくとも備えている。
【００２３】
いくつかの実施形態において、第１機械部分２０２および第２機械部分２５０は、電気的接続をさらに提供する。第１機械部分２０２を第２機械部分２５０に嵌めると、電気的接続され、第１機械部分と第２機械部分とを分離すると、電気的接続が切断される。いくつかの実施形態において、スナップボタン２００のばね要素は、スナップボタンの機械部分が分離するまで電気的接続を維持する働きをする。
【００２４】
図３は、１つの実施形態に係る電気的接続を提供するスナップボタンの構成要素の説明図である。図３の装置３００の断面図に示されるように、スナップボタンは、第２機械部分（雌部分）３５０に嵌めるための第１機械部分（雄部分）３０２を備え、第１および第２機械部分を取り外し可能に連結するようにしてもよい。第１機械部分３０２は、布地または他の材料３０５の第１部分に取り付けてもよい。第１機械部分３０２および第２機械部分３５０は、布地に対して垂直な軸に沿って円形状であってよいが、これはすべての実施態様で要求されるものではない。
【００２５】
いくつかの実施形態において、スナップボタンファスナの第１機械部分３０２は、第１機械部分３０２を形成するように一緒に取り付けられた複数の副部分を備える。当該副部分としては、例えば、布地３０５の一方の側に接する面を備え、布地３０５の穴を貫通する第１副部分３１０と、布地を貫通する第１副部分３１０の一部分を囲み、第１機械部分３０２のスタッド形状を形成する第２副部分３１５とがある。装置の断面図からわかるように、第２副部分３１５は、布地からより離れたプラグ形状のほうが布地に近いプラグ形状よりも大きくなるような角度を有する部分を、少なくとも備えている。
【００２６】
いくつかの実施形態において、第１機械部分３０２は、第２機械部分３５０との電気的接続を提供する要素をさらに備える。いくつかの実施形態において、第１機械部分３０２は、そのスタッド部分の内部に少なくとも部分的に第１電気コネクタ３３０を備える。いくつかの実施形態において、第１電気コネクタは、電力の分配またはデータ転送用電気信号の分配、またはこれら両方に用いられるワイヤに電気的に接続され、このワイヤは、電力または信号を伝える導電体３２５と、導電体３２５を絶縁する電気絶縁体３２０とを備える絶縁ワイヤであってもよい。実施態様において、第１電気コネクタ３３０は、導電体３２５に電気的に接続されてもよい。いくつかの実施形態において、第１電気コネクタ３３０は、電気ピン（図３に示すように、雄型電気コネクタ）または電気差込口（雌型電気コネクタ）の一方である。ただし、実施形態は、別体の電気コネクタが機械部分の内部に少なくとも部分的に備えられた装置に限定されるものではなく、例えば、図７に示すスナップボタンを備え、電気的接続を提供する機械部分であってもよい。
【００２７】
図示された例において、スナップボタンファスナの第２機械部分３５０は、第２機械部分を形成するように一緒に取り付けられた複数の副部分を備えてもよい。当該副部分としては、例えば、布地３５５の一方の側に接する面を備え、布地３５５の穴を貫通し、第２機械部分３５０のソケット形状を形成する第２副部分３６５の少なくとも一部分を留める、第１副部分３６０がある。第２副部分３６５の少なくとも一部分は、ばね要素を備え、このばね要素は、第１機械部分３０２のスタッド部分が第２機械部分３５０のソケット部分に挿入されると移動し、第１および第２機械部分を分離するように軸に沿った十分な力が加わるまで、機械的な力を加えて第１および第２機械部分を合わさった状態に保持する。図３に示される断面図からわかるように、第２副部分３６５は、布地からより離れた差込口形状のほうが布地に近い差込口形状よりも小さく、第１機械部分３０２を嵌めた際に所定の位置で保持するような角度を有する部分を、少なくとも備えている。
【００２８】
いくつかの実施形態において、第２機械部分３５０は、第１機械部分３０２との電気的接続を提供する要素をさらに備える。いくつかの実施形態において、第２機械部分３５０は、そのソケット部分の内部に少なくとも部分的に第２電気コネクタ３８０を備える。実施態様において、第２電気コネクタは、電力または信号を伝えるワイヤに結合され、このワイヤの例として、導電体３７５と、導電体３７５を絶縁する電気絶縁体３７０とを備える絶縁ワイヤがある。いくつかの実施形態において、第２電気コネクタ３８０は、電気ピン（雄型電気コネクタ）または電気差込口（図３に示すように、雌型電気コネクタ）の一方である。
【００２９】
スナップボタン部分が機械部分の内部に少なくとも部分的に電気コネクタを備えるいくつかの実施形態において、当該電気コネクタは、それぞれのスナップボタン機械部分の内部の中心に位置し、スナップボタンの部品同士を嵌め合わせると、容易に電気的接続を提供する。
【００３０】
図面による説明を容易にするために、図３〜図６に示される実施形態では、各スナップボタン機械部分に１つ電気コネクタが含まれているが、実施形態は、１つの電気コネクタに限定されるものではなく、スナップボタン機械部分の内部に少なくとも部分的に複数の電気コネクタを含んでもよい。
【００３１】
図４は、１つの実施形態に係る電気的接続を提供するスナップボタンの構成要素の説明図である。図４の装置４００の断面図に示されるように、スナップボタンは、第２機械部分（雌部分）４５０に嵌めるための第１機械部分（雄部分）４０２を備えてもよい。
【００３２】
図４に示すように、第１機械部分４０２および第２機械部分４５０の構成要素は、図３に示される第１機械部分３０２および第２機械部分３５０とそれぞれ同一である。ただし、第１機械部分４０２の第１電気コネクタ４３０を差込口コネクタ（雌型コネクタ）とし、第２機械部分４５０の第２電気コネクタ４８０をピンコネクタ（雄型コネクタ）とし、実施態様に合わせて接続部品を逆にしている。よって、図３に示す実施形態には、雄型スナップボタン機械部分３０２に埋め込まれた雄型電気コネクタ３３０と、雌型スナップボタン機械部分３５０に埋め込まれた雌型コネクタ３８０とが設けられている。図４に示す実施形態には、雄型スナップボタン機械部分４０２に埋め込まれた雌型コネクタ４３０と、雌型スナップボタン機械部分４５０に埋め込まれた雄型電気コネクタ４８０とが設けられている。
【００３３】
図５Ａおよび図５Ｂは、１つの実施形態に係るウェアラブル電子機器内の電気コネクタを備えるスナップボタンの、ある使用例を示す。これらの例において、例えば、衣料品内部のセンサアレイの電池は、何らかの処理をするために（例えば、衣料品の洗浄または洗濯前に）取り外せるようにし、処理の完了後（例えば、衣料品の洗浄または洗濯後）、再び取り付けられるようにすることが想定され得る。
【００３４】
図５Ａに示されるように、ウェアラブル電子機器５００は、２つのスナップボタン部分（雄型機械部分と雄型電気コネクタ５１０とを備えるスナップボタン部分５３０、および雌型機械部分と雌型電気コネクタ５１５とを備えるナップボタン部分５３２）を有する第１衣服部分５０５を備えてもよく、スナップボタン部分５３０および５３２は、布地５２０に埋め込まれ、ワイヤ５２５を介してセンサ５３１のような能動素子に電気的に結合されている。
【００３５】
いくつかの実施形態において、図５Ａのウェアラブル電子機器５００は、２つのスナップボタン部分（雌型機械部分と雌型電気コネクタ５１５とを備えるナップボタン部分５８０、および雄型機械部分と雄型電気コネクタ５１０とを備えるスナップボタン部分５８２）を有する第２電池パック部分５５０を備えてもよく、スナップボタン部分５８０および５８２は、布地５７０に埋め込まれ、ワイヤ５７５を介して電池５８１に電気的に結合され、電池５８１の負端子は、スナップボタン部分５８０の電気コネクタに電気的に結合され、電池５８１の正端子は、スナップボタン部分５８２の電気コネクタに電気的に結合されている。
【００３６】
図５Ａに示す実施態様において、能動素子（センサアレイ）５３１は、電池５８１の極性に対して感度がある。「雄型」および「雌型」機械部分を（衣服部分５０５および電池パック部分５５０において）適切に選択することにより、ユーザによる電池極性の不用意な掛け違いを防ぐことができる。
【００３７】
図５Ｂに示されるように、ウェアラブル電子機器５００の第１衣服部分５０５および第２電池パック部分５５０は変わらないが、スナップボタン部分の機械部分および電気コネクタは、第１部分５０５についてはそれぞれ雌型５１５とし、第２部分５５０についてはそれぞれ雄型５１０とする。図５Ｂに示す実施態様において、能動素子（センサアレイ）５３１は、電池５８１の極性に対して感度がなく、よって、同一種類の機械部分を衣服上に使用でき、相補的な部分を電池パック上に使用できる。
【００３８】
図５Ａおよび図５Ｂは、２つのスナップボタン部分が２つの部分のそれぞれに備えられた特定の例を示すが、実施形態は、この例に限定されるものではなく、各部分は、より多くのスナップボタン部分を備えてもよい。いくつかの実施形態において、第１部分の各スナップボタン部分は、第２部分のそれぞれのスナップボタン部分に合致する。いくつかの実施形態において、合致するスナップボタン部分同士の対のそれぞれは、電力の送信、信号の送信、またはこれら両方のための電気的接続を提供し、もしくは電気的接続を伴うことなく機械的接続を提供する。
【００３９】
いくつかの実施形態において、電気コネクタは、機械部分に対して絶縁されており、これは、特に、機械部分が金属で構成される場合に、有用である場合がある。他の実施形態において、機械部分は、絶縁材料（例えば、プラスチックまたは他の材料）で構成されていてもよく、この場合、さらなる絶縁が不要となる場合がある。例えば、プラスチック製機械部分を利用する実施態様において、電気コネクタを、成形処理をし、加圧および加熱をすることにより、単純に埋め込んでもよい。
【００４０】
図６は、１つの実施形態に係る布地の内部に埋め込まれた電気的構成要素を備える装置の説明図である。いくつかの実施形態において、装置６００は、電気的接続のために、それぞれの布地に直接埋め込まれたワイヤ、配線、またはコンタクトを備えてもよい。図６に示す実施形態において、装置は、電気的接続を提供するスナップボタンファスナと、電力または信号を伝導するワイヤとを備え、当該ファスナおよびワイヤは、布地に埋め込まれている。
【００４１】
図６の断面図に示されるように、スナップボタンは、第２機械部分（雌部分）６５０に嵌めるための第１機械部分（雄部分）６０２を備えてもよい。第１機械部分６０２は、布地または他の材料６０５の第１部分に取り付けてもよい。
【００４２】
いくつかの実施形態において、スナップボタンファスナの第１機械部分６０２は、第１機械部分６０２を形成するように一緒に取り付けられた複数の副部分を備える。当該副部分としては、例えば、布地６０５の一方の側に接する面を備え、布地６０５の穴を貫通する第１導電副部分６１０と、布地を貫通する第１導電副部分６１０の一部分を囲み、第１機械部分６０２のスタッド形状を形成する第２絶縁副部分６１５とがある。いくつかの実施形態において、スナップコネクタは、機械部分のスタッド部分の反対側に位置する、導電副部分６１０の表面上に、電気絶縁体６２０をさらに備えてもよい。装置６００の断面図からわかるように、絶縁副部分６１５は、布地からより離れたスタッド部分のほうが布地に近いスタッド部分よりも大きくなるような角度を有する部分を、少なくとも備えている。
【００４３】
いくつかの実施形態において、第１機械部分６０２は、第２機械部分６５０との電気的接続を提供する要素をさらに備える。いくつかの実施形態において、第１機械部分６０２は、第１機械部分６０２のスタッド部分の内部に少なくとも部分的に位置する第１電気コネクタ６３０を備える。いくつかの実施形態において、第１電気コネクタ６３０は、スナップボタンの導電副部分６１０に電気的に結合され、導電副部分６１０は、電力の分配またはデータ転送用電気信号の分配、またはこれら両方に用いられるワイヤ６２５に電気的に結合され、このワイヤ６２５は、絶縁ワイヤであってもよい。いくつかの実施形態において、ワイヤは、布地６０５に埋め込まれている。いくつかの実施形態において、第１電気コネクタ６３０は、この例では雄型電気コネクタとして示されているが、雄型または雌型電気コネクタのいずれか一方であってもよい。
【００４４】
いくつかの実施形態において、スナップボタンファスナの第２機械部分６５０は、第２機械部分を形成するように一緒に取り付けられた複数の副部分を備えてよい。当該副部分としては、例えば、布地６５５の一方の側に接する面を備え、布地６５５の穴を貫通し、第２機械部分６５０のソケット部分を形成する絶縁副部分６６５の少なくとも一部分を留める、導電副部分６６０がある。絶縁副部分６６５の少なくとも一部分は、ばね要素を備え、このばね要素は、第１機械部分６０２のスタッド部分が第２機械部分６５０のソケット部分に挿入されると移動し、第１および第２機械部分を分離するように軸に沿った十分な力が加わるまで、機械的な力を加えて第１および第２機械部分を合わさった状態に保持する。いくつかの実施形態において、第２機械部分６５０は、機械部分６５０のソケット部分の反対側に位置する、導電副部分６６０の表面上に、電気絶縁体６７０をさらに備えてもよい。
【００４５】
いくつかの実施形態において、第２機械部分６５０は、第１機械部分６０２との電気的接続を提供する要素をさらに備える。いくつかの実施形態において、第２機械部分６５０は、そのソケット部分の内部に少なくとも部分的に第２電気コネクタ６８０を備える。１つの実施態様において、第２電気コネクタ６８０は、導電副部分６６０に電気的に結合され、導電副部分は、電力、信号、またはこれら両方を伝送するワイヤ６７５に電気的に結合され、このワイヤ６７５は、絶縁ワイヤであってもよい。いくつかの実施形態において、第２電気コネクタ６８０は、雄型または雌型電気コネクタのいずれか一方であってもよい。
【００４６】
図７は、１つの実施形態に係る布地の内部に埋め込まれた電気的構成要素を備える物の説明図である。いくつかの実施形態において、装置７００は、電気的接続を提供するために、それぞれの布地に直接埋め込まれたワイヤ、配線、またはコンタクトを備えてもよい。図７に示す実施形態において、装置は、電気的接続を提供する導電スナップボタンファスナと、電力、信号、またはこれら両方を伝送するワイヤとを備え、当該ファスナおよびワイヤは、布地に埋め込まれている。
【００４７】
図７の装置７００の断面図に示されるように、スナップボタンは、第２機械部分（雌部分）７５０に嵌めるための第１機械部分（雄部分）７０２を備えてもよい。第１機械部分７０２は、布地または他の材料７０５の第１部分に取り付けてもよい。
【００４８】
いくつかの実施形態において、スナップボタンファスナの第１機械部分７０２は、第１機械部分７０２を形成するように一緒に取り付けられた複数の副部分を備える。当該副部分としては、例えば、布地７０５の一方の側に接する面を備え、布地７０５の穴を貫通する第１絶縁副部分７１０と、布地を貫通する第１絶縁副部分７１０の一部分を囲み、第１機械部分７０２のスタッド形状を形成する第２導電副部分７１５とがある。断面図からわかるように、導電副部分７１５は、布地からより離れたスタッド部分のほうが布地に近いスタッド部分よりも大きくなるような形状を有する部分を、少なくとも備えている。
【００４９】
いくつかの実施形態において、導電副部分７１５は、雄型電気コネクタとして機能する。いくつかの実施形態において、導電副部分７１５は、電力の分配またはデータ転送用電気信号の分配、またはこれら両方に用いられるワイヤ７２５に電気的に結合され、このワイヤ７２５は、絶縁ワイヤであってもよい。
【００５０】
いくつかの実施形態において、スナップボタンファスナの第２機械部分７５０は、第２機械部分を形成するように一緒に取り付けられた複数の副部分を備えてよい。当該副部分としては、例えば、布地７５５の一方の側に接する面を備え、布地７５５の穴を貫通し、第２機械部分７５０のソケット部分を形成する導電副部分７６５の少なくとも一部分を留める、絶縁副部分７６０がある。導電副部分７６５の少なくとも一部分は、ばね要素を備え、このばね要素は、第１機械部分７０２のスタッド部分が第２機械部分７５０のソケット部分に挿入されると移動し、第１および第２機械部分を分離するように軸方向に十分な力が加わるまで、機械的な力を加えて第１および第２機械部分を合わさった状態に保持する。
【００５１】
いくつかの実施形態において、導電副部分７６５は、雌型電気コネクタとして機能する。いくつかの実施形態において、導電副部分７６５は、電力の分配またはデータ転送用電気信号の分配、またはこれら両方に用いられるワイヤ７７５に電気的に結合され、このワイヤ７７５は、絶縁ワイヤであってもよい。
【００５２】
いくつかの実施形態において、布地７０５、７５５は、非導電材料であるが、他の実施形態において、布地は、本質的に導電性を有する布地であってもよい。有用な布地または服地としては、綿、デニム、リネン、絹、合成繊維、ラテックス、皮革、フェルト、防水布、プラスチック箔、ゴム箔、または異なる布地の任意の組み合わせが含まれてもよい。本質的に導電性を有する布地としては、非導電性布地に埋め込まれた、または合成箔もしくはプラスチック箔の間に積層された、金属箔、金属箔もしくは細い金属ワイヤの細片、または細い金属ワイヤ製メッシュが含まれてもよい。他の導電性布地には、非導電性（例えば、プラスチック）材料に埋め込まれた、導電性プラスチック材料または導電性炭素繊維が含まれてもよい。いくつかの実施形態において、スナップボタンが取り付けられる材料は、布地ではない。例えば、いくつかの例において、薄い可撓性パッケージ基板を、電気的機能を持つスナップボタンと組み合わせて使用してもよい。
【００５３】
なお、原則として、電気的機能を持つスナップボタンは、同じ布地上で、電気的機能を持たないスナップボタンと組み合わせてもよい。いくつかの実施形態において、異なるサイズまたは異なる「性別」のスナップボタンを利用することで、電気的なおよび純粋に機械的なスナップボタンの掛け違い防ぐようにしてもよい。いくつかの実施形態において、異なる機能のスナップボタン間（例えば、電気信号コネクタ、電力コネクタ、または単純な機械部分）で掛け違いを防ぐべく、スナップボタンを、製品において、特定の置換できない幾何学的な配置にしてもよく、製品におけるスナップボタンは、いずれか一方の極性を持つ電気信号コネクタ、いずれか一方の極性を持つ電力コネクタ、および電気的接続しない機械的コネクタの任意の組み合わせを備えてもよい。一例において、ウェアラブル電子機器製品は、第１距離だけ離れた第１および第２電気信号コネクタと、第２距離だけ離れた第１および第２電力コネクタと、第３距離だけ離れた第１および第２機械的コネクタとを備えてもよく、第１、第２、および第３距離は、異なっている。ただし、実施形態は、この実施態様に限定されるものではなく、スナップボタンを任意の置換できない幾何学的な配置にしてもよい。
【００５４】
いくつかの実施形態において、電気的に機能的なスナップボタンファスナは、衣服、衣類、およびファッションアクセサリにだけでなく、実用的な物（例えば、テントの防水布や、任意の製品を覆い、環境的影響から守る防水布）および他の機能的な作業に用いてもよい。
【００５５】
図８は、１つの実施形態に係るスナップボタンとの接続を含む電子装置のある操作を示すフローチャートである。いくつかの実施形態において、処理能力を備える電子装置は、スナップボタンの第１および第２部分を嵌め合わせることにより閉じた電気的接続の検知８００を行ってもよい。いくつかの実施形態において、電気的接続の検知（閉じた電気的接続からの信号の検知を含む）は、任意の公知の方法で行ってよい。いくつかの実施形態において、装置操作の有効化８０２（例えば、装置の休止または他の低電力状態からの立ち上げ）を実行してもよく、ある装置処理の開始８０４（例えば、接続されたセンサから受信した信号の処理）を行う。
【００５６】
いくつかの実施形態において、電子装置は、スナップボタンの第１および第２部分を外すことにより解除された電気的接続の検知８１０を行ってもよい。いくつかの実施形態において、電気的接続の解除の検知（信号が受信されなくなったことの検知を含む）は、任意の公知の方法で検知してもよい。いくつかの実施形態において、装置処理の停止８１２を実行してもよく、装置操作の無効化８１４（例えば、装置を休止または他の低電力状態にする）を実行する。
【００５７】
図９は、１つの実施形態に係る電気的接続を提供するスナップボタンファスナを利用した接続を含むシステムを示す。この説明図では、本説明に関係のない、ある特定の標準的かつ周知の構成要素は示さない。別個の要素として示される要素は、組み合わせてもよく、例えば、単一のチップ上で複数の要素を組み合わせたＳｏＣ（システムオンチップ）がある。
【００５８】
いくつかの実施形態において、システム９００は、ウェアラブル電子機器を備えてもよく、このウェアラブル電子機器は、ウェアラブル要素である第１部分９１０と、電子ユニットである第２部分９３０とを備える。いくつかの実施形態において、当該システムは、ウェアラブルと機能する第３要素を、必要に応じて備えてもよく、この第３要素は、例えば、外部処理ユニットであり、例えば、ウェアラブル電子機器と無線接続されたモバイル装置９９０である。
【００５９】
いくつかの実施形態において、第１部分９１０は、例えば、１つまたは複数の構成要素９１５を備えてもよい。いくつかの実施形態において、第１部分９１０の構成要素９１５は、第１部分９１０から取り外す必要がない構成要素か、実際的にはその部分から取り外すことができない構成要素かのいずれか一方である。いくつかの実施形態において、当該１つまたは複数の構成要素は、例えば、１つまたは複数のワイヤにより、１つまたは複数のスナップボタン（例えば、スナップ１−９２０）のそれぞれの第１部分に電気的に接続され、スナップ１−９２０は、スナップボタンの雄型機械部分として図示されており、雄型または雌型電気コネクタを備える。
【００６０】
いくつかの実施形態において、第２部分９３０は、例えば、１つまたは複数の構成要素を備えてもよい。いくつかの実施形態において、第２部分９３０の構成要素は、１つまたは複数の理由により、ウェアラブル電子機器から取り外される構成要素である。この説明図においては、当該構成要素は、他の要素（例えば、モバイル装置９９０）と通信するための無線トランシーバ９４０およびアンテナ９４５（例えば、ダイポールまたは他のアンテナ）、電力を提供するための電池９５０、処理または制御機能を提供するためのプロセッサまたはコントローラ９６０、および、命令またはデータを保存するための１つまたは複数のメモリ、例えば、揮発性メモリ９６５（例えば、ランダムアクセスメモリ（ＲＡＭ））、不揮発性メモリ９７０（例えば、フラッシュメモリ）、および読み出し専用メモリ（ＲＯＭ）９７５のうち１つまたは複数を備えてもよい。当該１つまたは複数の構成要素は、配線９３５（１つまたは複数のバス、ワイヤ、および他の接続要素を表す）により、接続されるように示されている。いくつかの実施形態において、当該１つまたは複数の構成要素は、例えば、１つまたは複数のワイヤにより、１つまたは複数のスナップボタン（例えば、スナップ２−９２５）のそれぞれの第２部分と電気的に接続され、スナップ２−９２５は、スナップボタンの雌型機械部分として図示されており、雄型または雌型電気コネクタを備える。
【００６１】
以上、説明の目的で、多数の具体的な詳細事項を取り上げ、上述の実施形態の十分な理解ができるようにしている。しかし、それら具体的な詳細事項のいくつかがなくても、様々な実施形態が実施可能である場合があることは、当業者に明らかであろう。他の場合において、周知の構造および装置が、ブロック図の形態で示されている。中間構造が、図示された構成要素の間にあってもよい。本明細書に記載または図示される構成要素は、図示または記載されていない付加的な入力または出力を備えてもよい。
【００６２】
様々な実施形態は、様々な工程を備えてもよい。これらの工程は、ハードウェア構成要素により実行してもよく、または、コンピュータプログラムまたは機械実行可能命令内に組み入れてもよく、このコンピュータプログラムまたは機械実行可能命令を用いて、汎用もしくは専用プロセッサまたは命令がプログラミングされた論理回路に、当該工程を実行させてもよい。または、当該工程は、ハードウェアとソフトウェアとを組み合わせることにより実行してもよい。
【００６３】
様々な実施形態のいくつかの部分は、コンピュータプログラム製品としてもよく、このコンピュータプログラム製品は、コンピュータプログラム命令が保存されたコンピュータ読み取り可能媒体を備えてもよく、当該コンピュータプログラム命令を用いて、コンピュータ（または他の電子装置）をプログラミングし、１つまたは複数のプロセッサによる実行をできるようにし、ある特定の実施形態にかかる工程を実行するようにしてもよい。当該コンピュータ読み取り可能媒体は、磁気ディスク、光学ディスク、コンパクトディスク読み取り専用メモリ（ＣＤ−ＲＯＭ）、光磁気ディスク、読み取り専用メモリ（ＲＯＭ）、ランダムアクセスメモリ（ＲＡＭ）、消去可能なプログラム可能読み取り専用メモリ（ＥＰＲＯＭ）、電気消去可能なプログラム可能読み取り専用メモリ（ＥＥＰＲＯＭ）、磁気もしくは光学カード、フラッシュメモリ、または、電子的命令を保存するのに適した他の種類のコンピュータ読み取り可能媒体、を含んでいてもよいが、これらに限定されるものではない。さらに、実施形態はまた、コンピュータプログラム製品としてダウンロードしてもよく、プログラムは、離れた場所にあるコンピュータから要求側コンピュータへ転送してもよい。
【００６４】
当該方法の多くは、最も基本的な形態で説明されているが、本実施形態の基本範囲から逸脱しない限り、当該方法に工程の追加または削除を行うことができ、記載されているメッセージに情報を加減することができる。多くのさらなる修正および適応が可能であることは、当業者に明らかであろう。上記の特定の実施形態は、概念を限定するためにではなく、説明するために記載されている。実施形態の範囲は、上述の特定の例により決定されるものではなく、以下の請求項によってのみ決定される。
【００６５】
要素「Ａ」が要素「Ｂ」に（と）結合されていると言う場合、要素Ａは、要素Ｂと直接的に結合されてもよく、または、例えば、要素Ｃを介して間接的に結合されてもよい。明細書または請求項において、構成要素、特徴、構造、工程、または特性Ａが、構成要素、特徴、構造、工程、または特性Ｂの「原因」となるという記載があるとき、これは、「Ａ」は「Ｂ」の少なくとも部分的な原因であることを意味するが、また、「Ｂ」の原因となることを補助する少なくとも１つの他の構成要素、特徴、構造、工程、または特性があってもよいことも意味する。明細書において、構成要素、特徴、構造、工程、または特性が、含まれ「てもよい」、含まれる「かもしれない」、または含まれる「だろう」と、示される場合、当該特定の構成要素、特徴、構造、工程、または特性が含まれることは不可欠ではない。本明細書または請求項が、「１つの（「ａ」または「ａｎ」）」要素を表す場合、これは、記載される要素が一つだけあることを意味しているのではない。
【００６６】
１つの実施形態は、実施態様または例である。本明細書における「１つの実施形態」、「一実施形態」、「いくつかの実施形態」、または「他の実施形態」への言及は、当該実施形態に関する特定の特徴、構造、または特性が、少なくともいくつかの実施形態に含まれることを意味するが、必ずしもすべての実施形態に含まれるわけではない。「１つの実施形態」、「一実施形態」、または「いくつかの実施形態」の記載が多数あっても、必ずしもすべてが、同じ実施形態に言及しているわけではない。当然のことながら、例示的実施形態の前述の説明において、様々な特徴が、本開示を簡素化し、様々な新規な様態のうち１つまたは複数の理解を助ける目的で、単一の実施形態、図、または説明にまとめてグループ化されている場合がある。ただし、この開示方法が、請求項に記載された実施形態が各請求項に明示的に記載されるよりも多くの特徴を必要とするという意図を示すものとして解釈されるべきではない。むしろ、以下の請求項が示すように、新規な様態は、前述の開示された実施形態一つが有するすべての特徴よりも少ない。よって、以下の請求項は、この詳細な説明に明示的に組み込まれ、各請求項は別個の実施形態として独立する。
【００６７】
いくつかの実施形態において、ファスナは、第１機械部分と第２機械部分とを備え、第１機械部分は、少なくともスタッド部分を有し、第１機械部分は、第１電気コネクタを有し、第２機械部分は、ばね要素を含むソケット部分を少なくとも有し、第２機械部分は、第２電気コネクタを有する。第１機械部分のスタッド部分および第２機械部分のソケット部分は、分離している場合、第１の力を互いに向かうように加えると連結し、連結されている場合、第２の力を互いから離れるように加えると分離する。第１電気コネクタおよび第２電気コネクタは、第１機械部分および第２機械部分が連結すると、電気的に接続され、第１電気コネクタおよび第２電気コネクタは、第１機械部分および第２機械部分が分離すると、切断される。
【００６８】
いくつかの実施形態において、ファスナは、スナップボタンファスナである。
【００６９】
いくつかの実施形態において、第１電気コネクタは、第１導電体に結合し、第２電気コネクタは、第２導電体に結合する。
【００７０】
いくつかの実施形態において、第１電気コネクタは、少なくとも部分的に第１機械部分のスタッド部分の内部に配置され、第２電気コネクタは、少なくとも部分的に第２機械部分のソケット部分の内部に配置されている。
【００７１】
いくつかの実施形態において、第１電気コネクタは、雄型電気コネクタまたは雌型電気コネクタのいずれか一方であり、第２電気コネクタは、雄型電気コネクタまたは雌型電気コネクタの他方である。
【００７２】
いくつかの実施形態において、第１機械部分および第２機械部分のそれぞれは、複数の副部分を備える。
【００７３】
いくつかの実施形態において、第１機械部分は、第１電気コネクタとして機能し、第２機械部分は、第２電気コネクタとして機能する。
【００７４】
いくつかの実施形態において、第１機械部分は、絶縁副部分と導電副部分とを備える。いくつかの実施形態において、第１機械部分は、スタッド部分を備え、スタッド部分の外側は、導電副部分の少なくとも一部分を有する。いくつかの実施形態において、第１機械部分は、ソケット部分を備え、ソケット部分は、導電副部分の少なくとも一部分を有する。
【００７５】
いくつかの実施形態において、第１電気コネクタおよび第２電気コネクタは、電気的に接続されたとき、電力、電気信号、またはこれら両方を伝送する。
【００７６】
いくつかの実施形態において、装置は、第１材料と、第１材料に埋め込まれた第１スナップボタンファスナ部分とを備え、第１スナップボタンファスナ部分は、第２機械部分に取り外し可能に連結する第１機械部分と、第１機械部分が第２機械部分に連結したとき、第２電気コネクタとの電気的接続を提供する第１電気コネクタとを有する。
【００７７】
いくつかの実施形態において、装置は、第１導電体と、第１電子要素とをさらに備え、第１導電体の第１端は、第１電気コネクタに電気的に結合され、第１導電体の第２端は、第１電子構成要素に電気的に結合されている。
【００７８】
いくつかの実施形態において、第１電気コネクタは、第１機械部分のスタッド部分またはソケット部分の内部に少なくとも部分的に配置されている。
【００７９】
いくつかの実施形態において、第１機械部分は、第１電気コネクタとして機能し、機械部分は、電気コネクタの少なくとも一部分である導電副部分を備える。
【００８０】
いくつかの実施形態において、第１電気コネクタは、第２電気コネクタに電気的に接続されたとき、電力、電気信号、またはこれら両方を伝送する。
【００８１】
いくつかの実施形態において、ウェアラブル電子機器製品は、第１部分と、第２部分とを備え、第１部分は、第１布地と、第１布地に埋め込まれた１つまたは複数のスナップボタンファスナ部分とを有し、第１スナップボタンファスナ部分は、第１機械部分と、第１電気コネクタとを含み、第２部分は、第２布地と、第２布地に埋め込まれた１つまたは複数のスナップボタンファスナ部分とを有し、第２スナップボタンファスナ部分は、第１機械部分に取り外し可能に連結する第２機械部分と、第１機械部分が第２機械部分に連結すると第１電気コネクタとの電気的接続を提供する第２電気コネクタとを含み、電気的接続は、第１機械部分が第２機械部分から分離すると、切断される。
【００８２】
いくつかの実施形態において、第１部分は、第１導電体と、第１電子要素とをさらに備え、第１導電体の第１端は、第１電気コネクタに電気的に結合され、第１導電体の第２端は、第１電子構成要素に電気的に結合されている。
【００８３】
いくつかの実施形態において、第１部分は、第３スナップボタンファスナ部分をさらに備え、第３スナップボタンファスナ部分は、第３機械部分と、第３電気コネクタとを有し、第２部分は、第４スナップボタンファスナ部分をさらに備え、第４スナップボタンファスナ部分は、第３機械部分に取り外し可能に連結する第４機械部分と、第１機械部分が第２機械部分に連結すると第３電気コネクタとの電気的接続を提供する第４電気コネクタとを有し、電気的接続は、第３機械部分が第４機械部分から分離すると、切断される。
【００８４】
いくつかの実施形態において、第１機械部分は、雄型または雌型コネクタのいずれか一方を備え、第２機械部分は、雄型または雌型コネクタの他方を備える。いくつかの実施形態において、第１機械部分は、雄型または雌型コネクタのいずれか一方を備え、第２機械部分は、雄型または雌型コネクタの同じものを備える。
【００８５】
いくつかの実施形態において、第１および第２スナップボタンファスナ部分は、第３および第４スナップボタンファスナ部分とは異なるサイズである。
【００８６】
いくつかの実施形態において、第１部分は、第１組の複数のスナップボタンファスナ部分を備え、第２部分は、第２組の複数のスナップボタンファスナ部分を備え、第１部分の各スナップボタンファスナ部分は、第２部分の対応するスナップボタンファスナ部分に合致する。
【００８７】
いくつかの実施形態において、スナップボタンファスナ部分の合致する各対は、以下の機能性のうち一つを提供する：電力の送信、信号の送信、またはこれら両方のための電気的接続、もしくは電気的接続を伴わない機械的接続。
【００８８】
いくつかの実施形態において、第１組のスナップボタンファスナ部分および第２組のスナップボタンファスナ部分は、ある特定の置換できない幾何学的な配置となり、異なる機能性のスナップボタン間の掛け違いを防ぐ。
【００８９】
いくつかの実施形態において、置換できない幾何学的な配置は、第１機能性のスナップボタンファスナ部分間の第１距離と、第２機能性のスナップボタンファスナ部分間の異なる第２距離とを備える。
【００９０】
いくつかの実施形態において、第１電気コネクタは、少なくとも部分的に第１機械部分のスタッド部分の内部に配置され、第２電気コネクタは、少なくとも部分的に第２機械部分のソケット部分の内部に配置されている。
【００９１】
いくつかの実施形態において、第１機械部分および第２機械部分のそれぞれは、複数の副部分を備える。
【００９２】
いくつかの実施形態において、第１機械部分は、第１電気コネクタとして機能し、第２機械部分は、第２電気コネクタとして機能する。いくつかの実施形態において、第１機械部分および第２機械部分のそれぞれは、絶縁副部分と導電副部分とを備える。いくつかの実施形態において、第１機械コネクタは、スタッド部分を備え、スタッド部分の外側は、導電副部分の少なくとも一部分を有する。いくつかの実施形態において、第１機械コネクタは、ソケット部分を備え、ソケット部分は、導電副部分の少なくとも一部分を有する。
［項目１−１］
第１機械部分と、
第２機械部分とを備え、
前記第１機械部分は、少なくともスタッド部分を有し、前記第１機械部分は、第１電気コネクタを有し、
前記第２機械部分は、ばね要素を含むソケット部分を少なくとも有し、前記第２機械部分は、第２電気コネクタを有し、
前記第１機械部分の前記スタッド部分および前記第２機械部分の前記ソケット部分は、分離している場合、第１の力が互いに向かうように加えられると連結し、連結されている場合、第２の力が互いから離れるように加えられると分離し、
前記第１電気コネクタおよび前記第２電気コネクタは、前記第１機械部分および前記第２機械部分が連結されたときに、電気的に接続され、前記第１電気コネクタおよび前記第２電気コネクタは、前記第１機械部分および前記第２機械部分が分離されたときに、切断される、
ファスナ。
［項目２−１］
前記ファスナは、スナップボタンファスナである、
項目１−１に記載のファスナ。
［項目３−１］
前記第１電気コネクタは、第１導電体に結合し、前記第２電気コネクタは、第２導電体に結合する、
項目１−１または２−１に記載のファスナ。
［項目４−１］
前記第１電気コネクタは、少なくとも部分的に前記第１機械部分の前記スタッド部分の内部に配置され、前記第２電気コネクタは、少なくとも部分的に前記第２機械部分の前記ソケット部分の内部に配置されている、
項目１−１から３−１のいずれか一項に記載のファスナ。
［項目５−１］
前記第１電気コネクタは、雄型電気コネクタまたは雌型電気コネクタのいずれか一方であり、前記第２電気コネクタは、雄型電気コネクタまたは雌型電気コネクタの他方である、
項目４−１に記載のファスナ。
［項目６−１］
前記第１機械部分および前記第２機械部分のそれぞれは、複数の副部分を備える、
項目４−１または５−１に記載のファスナ。
［項目７−１］
前記第１機械部分は、前記第１電気コネクタとして機能し、前記第２機械部分は、前記第２電気コネクタとして機能する、
項目１−１から６−１のいずれか一項に記載のファスナ。
［項目８−１］
前記第１機械部分は、絶縁副部分と導電副部分とを備える、
項目７−１に記載のファスナ。
［項目９−１］
前記第１機械部分は、スタッド部分を備え、前記スタッド部分の外側は、前記導電副部分の少なくとも一部分を有する、
項目８−１に記載のファスナ。
［項目１０−１］
前記第１機械部分は、ソケット部分を備え、前記ソケット部分は、前記導電副部分の少なくとも一部分を有する、
項目８−１または９−１に記載のファスナ。
［項目１１−１］
前記第１電気コネクタおよび前記第２電気コネクタは、電気的に接続されたとき、電力、電気信号、またはこれら両方を伝送する、
項目１−１から１０−１のいずれか一項に記載のファスナ。
［項目１２−１］
第１材料と、
前記第１材料に埋め込まれた第１スナップボタンファスナ部分とを備え、
前記第１スナップボタンファスナ部分は、
第２機械部分に取り外し可能に連結する第１機械部分と、
前記第１機械部分が前記第２機械部分に連結したとき、第２電気コネクタとの電気的接続を提供する第１電気コネクタとを有する、
装置。
［項目１３−１］
第１導電体と、
第１電子要素とをさらに備え、
前記第１導電体の第１端は、前記第１電気コネクタに電気的に結合され、
前記第１導電体の第２端は、前記第１電子要素に電気的に結合されている、
項目１２−１に記載の装置。
［項目１４−１］
前記第１電気コネクタは、前記第１機械部分のスタッド部分またはソケット部分の内部に少なくとも部分的に配置されている、
項目１２−１または１３−１に記載の装置。
［項目１５−１］
前記第１機械部分は、前記第１電気コネクタとして機能し、前記機械部分は、前記電気コネクタの少なくとも一部分である導電副部分を含む、
項目１２−１から１４−１のいずれか一項に記載の装置。
［項目１６−１］
前記第１電気コネクタは、前記第２電気コネクタに電気的に接続されたとき、電力、電気信号、またはこれら両方を伝送する、
項目１２−１から１５−１のいずれか一項に記載の装置。
［項目１７−１］
第１部分と、
第２部分とを備え、
前記第１部分は、
第１布地と、
前記第１布地に埋め込まれた１つまたは複数のスナップボタンファスナ部分とを有し、第１スナップボタンファスナ部分は、
第１機械部分と、
第１電気コネクタとを含み、
前記第２部分は、
第２布地と、
前記第２布地に埋め込まれた１つまたは複数のスナップボタンファスナ部分とを有し、第２スナップボタンファスナ部分は、
前記第１機械部分に取り外し可能に連結する第２機械部分と、
前記第１機械部分が前記第２機械部分に連結すると、前記第１電気コネクタとの電気的接続を提供する第２電気コネクタとを含み、前記電気的接続は、前記第１機械部分が前記第２機械部分から分離すると、切断される、
ウェアラブル電子機器製品。
［項目１８−１］
前記第１部分は、
第１導電体と、
第１電子要素とをさらに有し、
前記第１導電体の第１端は、前記第１電気コネクタに電気的に結合され、
前記第１導電体の第２端は、前記第１電子要素に電気的に結合されている、
項目１７−１に記載のウェアラブル電子機器製品。
［項目１９−１］
前記第１部分は、第３スナップボタンファスナ部分をさらに有し、前記第３スナップボタンファスナ部分は、
第３機械部分と、
第３電気コネクタとを含み、
前記第２部分は、第４スナップボタンファスナ部分をさらに有し、前記第４スナップボタンファスナ部分は、
前記第３機械部分に取り外し可能に連結する第４機械部分と、
前記第１機械部分が前記第２機械部分に連結すると前記第３電気コネクタとの電気的接続を提供する第４電気コネクタとを含み、前記電気的接続は、前記第３機械部分が前記第４機械部分から分離すると、切断される、
項目１７−１または１８−１に記載のウェアラブル電子機器製品。
［項目２０−１］
前記第１機械部分は、雄型または雌型コネクタのいずれか一方を含み、前記第２機械部分は、雄型または雌型コネクタの他方を含む、
項目１９−１に記載のウェアラブル電子機器製品。
［項目２１−１］
前記第１機械部分は、雄型または雌型コネクタのいずれか一方を含み、前記第２機械部分は、雄型または雌型コネクタの同じものを含む、
項目１９−１または２０−１に記載のウェアラブル電子機器製品。
［項目２２−１］
前記第１スナップボタンファスナ部分および前記第２スナップボタンファスナ部分は、前記第３スナップボタンファスナ部分および前記第４スナップボタンファスナ部分とは異なるサイズである、
項目１９−１から２１−１のいずれか一項に記載のウェアラブル電子機器製品。
［項目２３−１］
前記第１部分は、第１の複数のスナップボタンファスナ部分を有し、前記第２部分は、第２の複数のスナップボタンファスナ部分を有し、前記第１部分の各スナップボタンファスナ部分は、前記第２部分の対応するスナップボタンファスナ部分に合致する、
項目１７−１から２２−１のいずれか一項に記載のウェアラブル電子機器製品。
［項目２４−１］
前記スナップボタンファスナ部分の合致する各対は、電力の送信、信号の送信、またはこれら両方のための電気的接続、もしくは電気的接続を伴わない機械的接続の機能性のうち一つを提供する、
項目２３−１に記載のウェアラブル電子機器製品。
［項目２５−１］
前記第１の複数のスナップボタンファスナ部分および前記第２の複数のスナップボタンファスナ部分は、異なる機能性のスナップボタン間の掛け違いを防ぐべく、ある特定の置換できない幾何学的な配置となっている、
項目２４−１に記載のウェアラブル電子機器製品。
［項目１−２］
第１機械部分と、
第２機械部分とを備え、
前記第１機械部分は、少なくともスタッド部分を有し、
前記第１機械部分は、第１電気コネクタを有し、
前記第２機械部分は、ばね要素を含むソケット部分を少なくとも有し、前記第２機械部分は、第２電気コネクタを有し、
前記第１電気コネクタの少なくとも一部は、前記スタッド部分の内部に設けられ、前記スタッド部分の突出方向に延伸し、前記スタッド部分から絶縁され、
前記第２電気コネクタの少なくとも一部は、前記ソケット部分の内部に設けられ、前記ソケット部分の深さ方向に延伸し、前記ソケット部分から絶縁され、
前記第１機械部分の前記スタッド部分および前記第２機械部分の前記ソケット部分は、分離している場合、第１の力が互いに向かうように加えられると連結し、連結されている場合、第２の力が互いから離れるように加えられると分離し、
前記第１電気コネクタおよび前記第２電気コネクタは、前記第１機械部分および前記第２機械部分が連結されたときに、電気的に接続され、前記第１電気コネクタおよび前記第２電気コネクタは、前記第１機械部分および前記第２機械部分が分離されたときに、切断される、
ファスナ。
［項目２−２］
前記第１電気コネクタの少なくとも一部の周囲には、前記第１電気コネクタに接して絶縁体が設けられ、
前記第２電気コネクタの少なくとも一部の周囲には、前記第２電気コネクタに接して絶縁体が設けられている、
項目１−２に記載のファスナ。
［項目３−２］
前記第１電気コネクタは、雄型電気コネクタまたは雌型電気コネクタの一方であり、
前記第２電気コネクタは、前記雄型電気コネクタまたは前記雌型電気コネクタの他方である、
項目２−２に記載のファスナ。
［項目４−２］
前記第１機械部分は、第１副部分と第２副部分とを有し、
前記第２機械部分は、第１副部分と第２副部分とを有し、
前記第１機械部分の前記第１副部分は、前記第１電気コネクタの周囲に、前記第１電気コネクタに接して設けられた前記絶縁体に接して設けられ、
前記第１機械部分の前記第２副部分は、前記第１電気コネクタの周囲に、前記第１機械部分の前記第１副部分に接して設けられ、
前記第２機械部分の前記第１副部分は、前記第２電気コネクタの周囲に、前記第２電気コネクタに接して設けられた前記絶縁体に接して設けられ、
前記第２機械部分の前記第２副部分は、前記第２電気コネクタの周囲に、前記第２機械部分の前記第１副部分に接して設けられている、
項目３−２に記載のファスナ。
［項目５−２］
前記第１電気コネクタは雄型電気コネクタであり、前記第２電気コネクタは雌型電気コネクタであり、
前記第１電気コネクタに接して設けられた前記絶縁体には、前記雌型電気コネクタを収容する凹部が設けられ、
前記雌型電気コネクタの少なくとも一部は、前記第２電気コネクタに接して設けられた前記絶縁体から、前記深さ方向に突出し、
前記第１機械部分と前記第２機械部分とが連結された場合、前記雌型電気コネクタの少なくとも一部は、前記凹部に収容される、
項目４−２に記載のファスナ。
［項目６−２］
前記第１機械部分は、絶縁副部分と導電副部分とを有し、
前記第２機械部分は、絶縁副部分と導電副部分とを有し、
前記第１機械部分の前記導電副部分は、前記第１電気コネクタの周囲に、前記第１電気コネクタに接して設けられ、
前記第１機械部分の前記絶縁副部分は、前記第１電気コネクタの周囲に、前記第１機械部分の前記導電副部分に接して設けられ、
前記第２機械部分の前記導電副部分は、前記第２電気コネクタの周囲に、前記第２電気コネクタに接して設けられ、
前記第２機械部分の前記絶縁副部分は、前記第２電気コネクタの周囲に、前記第２機械部分の前記導電副部分に接して設けられている、
項目３−２に記載のファスナ。
［項目７−２］
前記第１電気コネクタは前記雄型電気コネクタであり、前記第２電気コネクタは前記雌型電気コネクタであり、
前記第１機械部分の前記導電副部分には、前記雌型電気コネクタを収容する凹部が設けられ、
前記雌型電気コネクタの少なくとも一部は、前記第２電気コネクタに接して設けられた前記導電副部分から、前記深さ方向に突出し、
前記第１機械部分と前記第２機械部分とが連結された場合、前記雌型電気コネクタの少なくとも一部は、前記凹部に収容される、
項目６−２に記載のファスナ。
［項目８−２］
前記第１機械部分は、前記スタッド部分の外側に、前記導電副部分の少なくとも一部分を有する、項目６−２または７−２に記載のファスナ。
［項目９−２］
前記ファスナは、スナップボタンファスナである、
項目１−２から８−２のいずれか一項に記載のファスナ。
［項目１０−２］
前記第１電気コネクタは第１導電体に結合し、前記第２電気コネクタは第２導電体に結合する、項目１−２から９−２のいずれか一項に記載のファスナ。
［項目１１−２］
前記第１電気コネクタは、少なくとも部分的に前記第１機械部分の前記スタッド部分の内部に配置され、
前記第２電気コネクタは、少なくとも部分的に前記第２機械部分の前記ソケット部分の内部に配置されている、
項目１−２から１０−２のいずれか一項に記載のファスナ。
［項目１２−２］
前記第１機械部分は、前記第１電気コネクタとして機能し、前記第２機械部分は、前記第２電気コネクタとして機能する、
項目１−２から１１−２のいずれか一項に記載のファスナ。
［項目１３−２］
前記第１電気コネクタおよび前記第２電気コネクタは、電気的に接続されたとき、電力、電気信号、またはこれら両方を伝送する、
項目１−２から１２−２のいずれか一項に記載のファスナ。
［項目１４−２］
第１材料と、
前記第１材料に埋め込まれた第１スナップボタンファスナ部分とを備え、
前記第１スナップボタンファスナ部分は、
第２機械部分に取り外し可能に連結する第１機械部分と、
前記第１機械部分が前記第２機械部分に連結したとき、第２電気コネクタとの電気的接続を提供する第１電気コネクタとを有し、
前記第１電気コネクタの少なくとも一部は、前記第１機械部分のスタッド部分の内部に設けられ、前記スタッド部分の突出方向に延伸し、前記スタッド部分から絶縁され、
前記第２電気コネクタの少なくとも一部は、前記第２機械部分のソケット部分の内部に設けられ、前記ソケット部分の深さ方向に延伸し、前記ソケット部分から絶縁されている、
装置。
［項目１５−２］
前記第１電気コネクタの少なくとも一部の周囲には、前記第１電気コネクタに接して絶縁体が設けられ、
前記第２電気コネクタの少なくとも一部の周囲には、前記第２電気コネクタに接して絶縁体が設けられている、
項目１４に記載の装置。
［項目１６−２］
前記第１機械部分は、絶縁副部分と導電副部分とを有し、
前記第２機械部分は、絶縁副部分と導電副部分とを有し、
前記第１機械部分の前記導電副部分は、前記第１電気コネクタの周囲に、前記第１電気コネクタに接して設けられ、
前記第１機械部分の前記絶縁副部分は、前記第１電気コネクタの周囲に、前記第１機械部分の前記導電副部分に接して設けられ、
前記第２機械部分の前記導電副部分は、前記第２電気コネクタの周囲に、前記第２電気コネクタに接して設けられ、
前記第２機械部分の前記絶縁副部分は、前記第２電気コネクタの周囲に、前記第２機械部分の前記導電副部分に接して設けられている、
項目１５−２に記載の装置。
［項目１７−２］
前記第１電気コネクタは雄型電気コネクタであり、前記第２電気コネクタは雌型電気コネクタであり、
前記第１機械部分の前記導電副部分には、前記雌型電気コネクタを収容する凹部が設けられ、
前記雌型電気コネクタの少なくとも一部は、前記第２電気コネクタに接して設けられた前記導電副部分から、前記深さ方向に突出し、
前記第１機械部分と前記第２機械部分とが連結された場合、前記雌型電気コネクタの少なくとも一部は、前記凹部に収容される、
項目１６−２に記載の装置。
［項目１８−２］
第１導電体と、
第１電子要素とをさらに備え、
前記第１導電体の第１端は、前記第１電気コネクタに電気的に結合され、
前記第１導電体の第２端は、前記第１電子要素に電気的に結合されている、
項目１５−２から１７−２のいずれか一項に記載の装置。
［項目１９−２］
前記第１電気コネクタは、前記第２電気コネクタに電気的に接続されたとき、電力、電気信号、またはこれら両方を伝送する、
項目１５−２から１８−２のいずれか一項に記載の装置。
［項目２０−２］
第１部分と、
第２部分とを備え、
前記第１部分は、
第１布地と、
前記第１布地に埋め込まれた１つまたは複数の第１スナップボタンファスナ部分と、
を有し、
前記第１スナップボタンファスナ部分は、
第１機械部分と、
第１電気コネクタと、
を含み、
前記第２部分は、
第２布地と、
前記第２布地に埋め込まれた１つまたは複数の第２スナップボタンファスナ部分と、
を有し、
前記第２スナップボタンファスナ部分は、
前記第１機械部分に取り外し可能に連結する第２機械部分と、
前記第１機械部分が前記第２機械部分に連結すると、前記第１電気コネクタとの電気的接続を提供する第２電気コネクタと、
を含み、
前記電気的接続は、前記第１機械部分が前記第２機械部分から分離すると、切断され、
前記第１電気コネクタの少なくとも一部は、前記第１機械部分の雄部分の内部に設けられ、前記雄部分の突出方向に延伸し、
前記第２電気コネクタの少なくとも一部は、前記第２機械部分の雌部分の内部に設けられ、前記雌部分の深さ方向に延伸し、
前記第１機械部分の前記雄部分には、前記第２電気コネクタを収容する凹部が設けられ、
前記第１機械部分と前記第２機械部分とが連結された場合、前記第２電気コネクタの少なくとも一部は、前記凹部に収容される、
ウェアラブル電子機器製品。
［項目２１−２］
第１部分と、
第２部分とを備え、
前記第１部分は、
第１布地と、
前記第１布地に埋め込まれた１つまたは複数の第１スナップボタンファスナ部分と、
を有し、
前記第１スナップボタンファスナ部分は、
第１機械部分と、
第１電気コネクタと、
を含み、
前記第２部分は、
第２布地と、
前記第２布地に埋め込まれた１つまたは複数の第２スナップボタンファスナ部分と、
を有し、
前記第２スナップボタンファスナ部分は、
前記第１機械部分に取り外し可能に連結する第２機械部分と、
前記第１機械部分が前記第２機械部分に連結すると、前記第１電気コネクタとの電気的接続を提供する第２電気コネクタと、
を含み、
前記第１電気コネクタの少なくとも一部は、前記第１機械部分の雌部分の内部に設けられ、前記雌部分の深さ方向に延伸し、
前記第２電気コネクタの少なくとも一部は、前記第２機械部分の雄部分の内部に設けられ、前記雄部分の突出方向に延伸し、
前記第２機械部分の前記雄部分には、前記第１電気コネクタを収容する凹部が設けられ、
前記第１機械部分と前記第２機械部分とが連結された場合、前記第１電気コネクタの少なくとも一部は、前記凹部に収容され、
前記電気的接続は、前記第１機械部分が前記第２機械部分から分離すると、切断される、
ウェアラブル電子機器製品。
［項目２２−２］
前記第１部分は、第３スナップボタンファスナ部分をさらに有し、
前記第３スナップボタンファスナ部分は、
第３機械部分と、
第３電気コネクタと、
を含み、
前記第２部分は、第４スナップボタンファスナ部分をさらに有し、
前記第４スナップボタンファスナ部分は、
前記第３機械部分に取り外し可能に連結する第４機械部分と、
前記第１機械部分が前記第２機械部分に連結すると前記第３電気コネクタとの電気的接続を提供する第４電気コネクタと、
を含み、
前記電気的接続は、前記第３機械部分が前記第４機械部分から分離すると、切断され、
前記第３電気コネクタの少なくとも一部は、前記第３機械部分の雌部分の内部に設けられ、前記第３機械部分の前記雌部分の深さ方向に延伸し、
前記第４電気コネクタの少なくとも一部は、前記第４機械部分の雄部分の内部に設けられ、前記第４機械部分の前記雄部分の突出方向に延伸し、
前記第４機械部分の前記雄部分には、前記第３電気コネクタを収容する凹部が設けられ、
前記第３機械部分と前記第４機械部分とが連結された場合、前記第３電気コネクタの少なくとも一部は、前記第４機械部分の前記雄部分に設けられた前記凹部に収容される、
項目２０−２または２１−２に記載のウェアラブル電子機器製品。
［項目２３−２］
前記第１スナップボタンファスナ部分および前記第２スナップボタンファスナ部分は、前記第３スナップボタンファスナ部分および前記第４スナップボタンファスナ部分とは異なるサイズである、
項目２２−２に記載のウェアラブル電子機器製品。
［項目２４−２］
前記第１部分は、
第１導電体と、
第１電子要素とをさらに有し、
前記第１導電体の第１端は、前記第１電気コネクタに電気的に結合され、
前記第１導電体の第２端は、前記第１電子要素に電気的に結合されている、
項目２０−２から２３−２のいずれか一項に記載のウェアラブル電子機器製品。
［項目２５−２］
前記第１部分は、第１の複数のスナップボタンファスナ部分を有し、前記第２部分は、第２の複数のスナップボタンファスナ部分を有し、前記第１部分の各スナップボタンファスナ部分は、前記第２部分の対応するスナップボタンファスナ部分に合致する、
項目２０−２から２４−２のいずれか一項に記載のウェアラブル電子機器製品。
［項目２６−２］
前記スナップボタンファスナ部分の合致する各対は、電力の送信、信号の送信、またはこれら両方のための電気的接続、もしくは電気的接続を伴わない機械的接続の機能性のうち一つを提供する、
項目２５−２に記載のウェアラブル電子機器製品。
［項目２７−２］
前記第１の複数のスナップボタンファスナ部分および前記第２の複数のスナップボタンファスナ部分は、異なる機能性のスナップボタン間の掛け違いを防ぐべく、ある特定の置換できない幾何学的な配置となっている、
項目２６−２に記載のウェアラブル電子機器製品。
【図１】
0006743333.tif 000002
【図２】
0006743333.tif 000003
【図３】
0006743333.tif 000004
【図４】
0006743333.tif 000005
【図５Ａ】
0006743333.tif 000006
【図５Ｂ】
0006743333.tif 000007
【図６】
0006743333.tif 000008
【図７】
0006743333.tif 000009
【図８】
0006743333.tif 000010
【図９】
0006743333.tif 000011